【事件の表示】
　特願２００８−１５１７０６「刈り込み機」拒絶査定不服審判事件〔平成２０年１０月３０日出願公開、特開２００８−２５９５１３〕について、次のとおり審決する。
【結　論】
　本件審判の請求は、成り立たない。
【理　由】
第１　手続の経緯 
　本願は，平成１７年５月２７日に出願した特願２００５−１５５１８０号の一部を特許法第４４条第１項の規定により分割して平成２０年６月１０日に新たな特許出願としたものであって，平成２４年４月６日付けで拒絶査定がなされ，これに対し，同年７月９日に拒絶査定不服審判がされると共に，同時に手続補正がなされた。
　その後，平成２５年１月３０日付けで，審判請求人に前置報告書の内容を示し意見を求めるための審尋を行ったところ，同年４月５日付けで回答書が提出されたものである。
　
　
第２　補正の却下の決定 
［補正の却下の決定の結論］
　平成２４年７月９日付けの手続補正を却下する。
　
［理由］
１．補正の内容・目的 
　平成２４年７月９日付けの手続補正（以下，「本件補正」という。）は，特許請求の範囲について，補正前（平成２２年１２月８日付けの手続補正書参照。）の請求項１を，以下のように補正することを含むものである。
「刈り込み機本体と，
　刈り込み機本体に設けられている一対のブレードと，
　刈り込み機本体に対して移動可能に設けられている移動部材を備え，
　前記刈り込み機本体には，作業者が把持するための把持部が形成されており，
　前記移動部材には，一対のブレードによる刈り込み片を受け止めるレシーバ部と，
　作業面に当接させることによって作業面に対する一対のブレードの距離を保持するためのガイド部が形成されており，
　前記刈り込み機本体に対する前記移動部材の相対位置を段階的に調節することによって，作業面に対する一対のブレードの距離を段階的に調節可能であり，
　前記刈り込み機本体を側面視したときに，作業面に当接するガイド部の一部が，前記作業面と前記把持部との間に位置するとともに，前記刈り込み機本体と前記移動部材が互いに当接する当接部が，前記作業面に当接するガイド部と前記把持部との間に位置することを特徴とする刈り込み機。」
　
　上記補正は，補正前の請求項１に記載された請求項１に係る発明を特定するために必要な事項である「ガイド部」について「前記刈り込み機本体を側面視したときに」，「前記刈り込み機本体と前記移動部材が互いに当接する当接部が，前記作業面に当接するガイド部と前記把持部との間に位置する」という事項を付加して限定したものであり，かつ補正前の請求項１に記載された発明と補正後の請求項１に記載された発明の産業上の利用分野及び解決しようとする課題が同一であるので，本件補正は，少なくとも，平成１８年法律第５５号改正附則第３条第１項によりなお従前の例によるとされる同法による改正前の特許法第１７条の２第４項第２号の特許請求の範囲の減縮を目的とする補正事項を含むものである。
　
　そこで，本件補正後の上記請求項１に係る発明（以下，「補正発明」という。）が特許出願の際独立して特許を受けることができるものであるか，すなわち，平成１８年法律第５５号改正附則第３条第１項によりなお従前の例によるとされる同法による改正前の特許法第１７条の２第５項において準用する同法第１２６条第５項に規定する要件を満たしているか，について以下に検討する。
　
２．独立特許要件違反（特許法第２９条第２項違反）
２−１．引用刊行物
（１）刊行物１
　原査定の拒絶の理由に引用され，本願の分割遡及日前に頒布された刊行物である，特開２００４−４１１４０号公報（以下，「刊行物１」という。）には，次の記載がある。
（１ａ）「【請求項１】
櫛状の切断刃による刈り込みにより生じた切屑を受け止めるレシーバが形成されたことを特徴とする手持式芝刈機。
【請求項２】
櫛状の切断刃による刈り込みにより生じた切屑を受け止めるレシーバがハウジングに着脱可能に取り付けられたことを特徴とする手持式芝刈機。
【請求項３】
請求項１又は請求項２に記載の手持式芝刈機において，レシーバの左右縁が切断刃の左右両側に対応する位置に形成されたことを特徴とする手持式芝刈機。」
　
（１ｂ）「【０００８】
＜実施の形態１＞
図１乃至図４に示すように，この手持式芝刈機は，ハウジング１と，ハウジング１からその前方に突出する切断刃２とを具備する。
【０００９】
ハウジング１は例えば左右二つ割りの割り型を結合させることにより形成される。ハウジング１の後部にはハンドル３が一体的に設けられる。ハンドル３の内側にはＯＮ・ＯＦＦスイッチのトリガー４が設けられる。図示しないが，ハウジング１の内部には，原動部，伝動部等が収納される。原動部としては例えばモータが用いられ，伝動部としては例えばカム装置が用いられる。ハンドル３を持つ手の指でトリガー４を操作し，ＯＮ・ＯＦＦスイッチをＯＮ・ＯＦＦ切換えすることにより，モータが起動し又は停止する。
【００１０】
切断刃２は，櫛状の上刃２ａと同じく櫛状の下刃２ｂとを重ね合わせたうえで図示しない枢ピンで連結することにより構成される。枢ピンを支点にして上下刃２ａ，２ｂが左右に往復角運動すると，櫛状の歯が繰り返し交差して草木を切断する。図示しないが上下刃２ａ，２ｂの枢ピンより後方の部分には，それぞれ長孔が形成され，各長孔に上記カム装置の上下のカムが嵌まり込む。上下のカムは位相が１８０度ずれるように一体化されている。原動部のモータの起動によりカムが回転すると，上下刃２ａ，２ｂは互いに反対向きに往復角運動を行い，櫛状の歯間に入る草木を切断する。
【００１１】
ハウジング１には，図５及び図６に示すレシーバ５が，図１乃至図４に示すように着脱可能に取り付けられる。
【００１２】
レシーバ５は，櫛状の切断刃２による刈り込みにより生じた切屑を受け止めるための捕集具であり，図５及び図６に示すように，手持式芝刈機の左右方向に延びる底板６と，底板６の後部から斜め後方に立ち上がる背板７とを具備する。レシーバ５は例えば樹脂の射出成形，金属板のプレス成形等により望ましくは一体に形成される。底板６及び背板７の中央部にはハウジング１の前部が嵌り込む略Ｕ字形の切欠８が形成される。図１乃至図４に示すように，レシーバ５がハウジング１に取り付けられると，底板６，背板７及びハウジング１との間に切屑を受け止める捕集部が形成される。底板６の前端６ａは，切断作業に支障を来たさないように切断刃２の櫛状の歯よりややハウジング１側に後退している。」
　
（１ｃ）「【００１５】
このレシーバ５は切断刃２の左右縁よりもさらに外側へと大きく突出するように形成してもよいが，望ましくは図１，図３及び図４に示すように、左右縁５ａ，５ｂが切断刃２の左右両側に対応するように形成される。この場合もレシーバ５の左右縁５ａ，５ｂは切断刃２の左右両側よりも多少突出するが、その突出量は例えば数ｍｍ程度である。芝草等を際刈りする場合、このレシーバ５の左右縁５ａ，５ｂをガイドとして図示しないブロック塀等に沿ってスライドさせれば，刈り取り作業が効率化される。」
　
（１ｄ）「【００３２】
＜実施の形態５＞
図１５及び図１６に示すように，この実施の形態５では，実施の形態１乃至実施の形態４の場合と異なる着脱手段を介してレシーバ５がハウジング１に着脱自在に取り付けられる。
【００３３】
すなわち，背板７の切欠８に臨む左右の二箇所からハウジング１の左右の側面に沿うように取付板１４が後方へと突出し，これらの取付板１４がハウジング１の側面に取付用ネジ１５で固定される。取付用ネジ１５は図示しないネジ棒につまみを固定してなるもので，ネジ棒が取付板１４を貫通しハウジング１の側面に形成された図示しないネジ孔に螺合する。取付用ネジ１５が締め付けられることによりレシーバ５は取付板１４を介しハウジング１に固定され，取付用ネジ１５が緩められることによりレシーバ５はハウジング１から取り外される。
【００３４】
なお，実施の形態５の場合には，例えば取付用ネジ１５の箇所を支点にして，レシーバ５を回動し，レシーバ５の取付角度を変更することにより，芝草等の刈り込み高さを調整することも可能である。また，実施の形態５の場合には，取付板１４に形成された取付用ネジ１５の貫通穴を上下方向の長穴に形成し，レシーバ５の取付位置を上下に位置変更可能に形成すると，芝草等の刈り込み高さをより容易に調整可能である。
【００３５】
なお，この実施の形態５において実施の形態１乃至実施の形態４における部分と同一部分には同じ符号を付して示すこととしその詳細な説明は省略する。」
　
（１ｅ）上記記載事項（１ａ）乃至（１ｄ）を参照して，図１５，１６をみると，ハウジング１を側面視したときに，レシーバ５の底板６は，上下方向において，作業を行う面とハンドル３との間に位置し，ハウジング１に対してレシーバ５を取り付ける取付板１４は，上下方向において，レシーバ５の底板６とハンドル３との間に位置していることが明らかである。
　
　これら記載事項（１ａ）乃至（１ｅ）及び図面の記載から，刊行物１には，次の発明が記載されているものと認められる。
「ハウジング１と，ハウジング１からその前方に突出する櫛状の上刃２ａと同じく櫛状の下刃２ｂとからなる切断刃２と，ハウジングに着脱可能に取り付けられるレシーバ５とを備え，
ハウジング１の後部にはハンドル３が一体的に設けられており，
レシーバ５は，手持式芝刈機の左右方向に延びる底板６と，底板６の後部から斜め後方に立ち上がる背板７とを具備し，底板６及び背板７の中央部にはハウジング１の前部が嵌り込む略Ｕ字形の切欠８が形成されていて，ハウジング１に取り付けられると，底板６，背板７及びハウジング１との間に切断刃２による刈り込みにより生じた切屑を受け止める捕集部が形成され，レシーバ５の左右縁５ａ，５ｂは切断刃２の左右両側よりも多少突出し，芝草等を際刈りする場合，このレシーバ５の左右縁５ａ，５ｂをガイドとしてブロック塀等に沿ってスライドさせられるようになっており，
レシーバ５の背板７の切欠８に臨む左右の二箇所からは，ハウジング１の左右の側面に沿うように取付板１４が後方へと突出し，これらの取付板１４がハウジング１の側面に取付用ネジ１５の箇所を支点にして，レシーバ５を回動可能に固定され，レシーバ５の取付角度を変更することにより，芝草等の刈り込み高さを調整可能とするとともに，
取付板１４に形成された取付用ネジ１５の貫通穴を上下方向の長穴に形成して，レシーバ５の取付位置を上下に位置変更可能に形成することにより，芝草等の刈り込み高さを調整可能とされており，
ハウジング１を側面視したときに，レシーバ５の底板６は，上下方向において，作業を行う面とハンドル３との間に位置し，ハウジング１に対してレシーバ５を取り付ける取付板１４は，上下方向において，レシーバ５の底板６とハンドル３との間に位置している手持式芝刈機。」（以下，「刊行物１記載の発明」という。）
　　
（２）刊行物２
　原査定の拒絶の理由に引用され，本願の分割遡及日前に頒布された刊行物である，特開２００２−３３５７６１号公報（以下，「刊行物２」という。）には，次の記載がある。
（２ａ）「【請求項１】　本体と，該本体の前部から前方へ張り出して設けられ，該本体の幅方向へ往復動する刈り込み刃と，該刈り込み刃の刈り込み高さを規制するガード装置を備えた刈り込み機であって，
前記ガード装置は，前記刈り込み刃の下方に沿って位置し，刈り込み基準面に当接させて刈り込み高さを一定に保持する刈り込み高さ規制部を備え，該刈り込み高さ規制部の前記刈り込み刃に対する刈り込み高さ方向の位置を変更して，前記刈り込み高さを変更可能な構成とした刈り込み機。
【請求項２】　請求項１記載の刈り込み機であって，ガード装置は，刈り込み刃の側方に位置する側方ガード部を備え，該側方ガード部により前記刈り込み刃の側方障害物に対する干渉を防止する構成とした刈り込み機。
【請求項３】　請求項１または２記載の刈り込み機であって，ガード装置は，刈り込み刃よりも前方に位置する前方ガード部を有し，該前方ガード部により前記刈り込み刃の前方障害物に対する干渉を防止する構成とした刈り込み機。
【請求項４】　請求項１〜３の何れかに記載した刈り込み機であって，ガード装置は，本体から取り外し可能な構成とした刈り込み機。
【請求項５】　請求項１記載の刈り込み機であって，ガード装置は，工具本体の前部に設けた前側止め部に係合させて当該ガード装置を工具本体に対して位置決めする前側支持部を備え，該前側支持部の前記前側止め部に対する係合位置を変更して当該ガード装置を位置変更可能な構成とした刈り込み機。
【請求項６】　省略。」
　
（２ｂ）「【０００７】
【発明の実施の形態】次に，本発明の第１実施形態を図１〜図４に基づいて説明する。この第１実施形態では刈り込み機の一例としていわゆる芝生バリカン１を例示する。図１に示すようにこの芝生バリカン１は，片手に持って刈り込み刃を作動させつつ地面Ｊから一定の間隔を保持して移動させることにより地面Ｊに生えた芝生（図示省略）を一定の刈り込み高さＴに刈り込むことができるもので，後部にＤ形のハンドル部３を備えた本体部２と，該本体部２の前部に設けられた刈り込み刃４と，主として刈り込み刃４の周囲に配置されたガード装置５を有している。ハンドル部３はハウジング６の後部がＤ形に形成されて設けられている。このハンドル部３の後部には電源コード３ｃが引き込まれている。また，このハンドル部３の内周前側にはトリガ形式のスイッチ３ｂが配置されている。ハンドル部３を把持してこのスイッチ３ｂを引き操作すると，当該刈り込み機１が起動する。本体部２の前側下部に刈り込み刃４が配置されている。刈り込み刃４は，上側の上刃４ａと下側の下刃４ｂからなり，相互に重ね合わせた状態に設けられている。」
　
（２ｃ）「【００１１】次に，ガード装置５は，ハンドル部３の下部から本体部２の前部に至って架け渡し状態に取り付けられている。このガード装置５は，１本の鋼線を折り曲げたフレーム形状を有しており，当該刈り込み機１の機長方向に沿った左右一対の刈り込み高さ規制部５ａ，５ａと，該両刈り込み高さ規制部５ａ，５ａの後端部間を連結する後側支持部５ｂと，両刈り込み高さ規制部５ａ，５ａの前端部から上方へ屈曲して設けた前方ガード部５ｃ，５ｃと，該前方ガード部５ｃ，５ｃの上端から後ろ側へ折り返して設けた側方ガード部５ｄ，５ｄと，該両側方ガード部５ｄ，５ｄを連結する前側支持部５ｅを備えている。図３に示すように上記後側支持部５ｂの中央部が，ハンドル部３の下面に設けた後側止め部３ａに支持されている。また，前側支持部５ｅの中央部が，ハウジング６の前面に設けた３箇所の前側止め部６ａ〜６ｃの何れか（図では中央の前側止め部６ｂ）に支持されている。後側止め部３ａは，ハンドル部３（ハウジング６）の下面に一体に形成されており，後側支持部５ｂをその軸線回りに回転可能に支持する。また，この後側止め部３ａは適度な弾性を有しており，後側支持部５ｂを弾性力により保持可能であり，かつ作業者は弾性力に抗してこの後側支持部５ｂを該後側止め部３ａから手で取り外し可能となっている。
【００１２】３箇所の前側止め部６ａ〜６ｃは，上下に並んで設けられている。各前側止め部６ａ〜６ｃは，ガード装置５の前側支持部５ｅを嵌め込んで弾性力で保持可能な形状に形成されている。従って，作業者は任意の前側止め部６ａ（または６ｂまたは６ｃ）を選択して前側支持部５ｅを保持することができ，逆に弾性力に抗して前側止め部６ａ（または６ｂまたは６ｃ）から前側支持部５ｅを外すことができる。前側支持部５ｅを前側止め部６ａ（または６ｂまたは６ｃ）から外した状態では，ガード装置５は後側止め部３ａに保持された後側支持部５ｂを中心にして上下に傾動させることができ，これにより任意の前側止め部６ａ（または６ｂまたは６ｃ）を選択して前側支持部５ｅを保持することができる。前側支持部５ｅを保持する前側止め部６ａ（または６ｂまたは６ｃ）を変更することにより，左右の刈り込み高さ規制部５ａ，５ａの位置（刈り込み刃４との間隔）を変更することができ，これにより刈り込み高さＴ（刈り込み刃４と地面Ｊとの間隔，図１参照）を変更することができる。また，前側支持部５ｅを前側止め部６ａ（または６ｂまたは６ｃ）から外し，後側支持部５ｂを後側止め部３ａから外すことにより，ガード装置５を当該刈り込み機１から（本体部２およびハンドル部３から）完全に取り外すことができる。
【００１３】左右の刈り込み高さ規制部５ａ，５ａは，刈り込み刃４の左右端部下方に沿って配置されている。両刈り込み高さ規制部５ａ，５ａを地面に当接させることにより，刈り込み刃４と地面Ｊとの間が一定の間隔（刈り込み高さＴ）に保持される。この刈り込み高さ規制部５ａ，５ａと刈り込み刃４との間の間隔Ｔが刈り込み高さに相当する。なお，左右の刈り込み高さ規制部５ａ，５ａは相互に同じ高さ（刈り込み高さＴ）に設定されている。両刈り込み高さ規制部５ａ，５ａの前端部に設けられた前方ガード部５ｃ，５ｃは，図３に示すように刈り込み刃４の左右端部付近において該刈り込み刃４の前端よりも前方に位置している。
【００１４】上記両前方ガード部５ｃ，５ｃの上端からは，側方ガード部５ｄ，５ｄが後方へ折り返し状に延びている。この左右の側方ガード部５ｄ，５ｄは，図３に示すように刈り込み刃４の左右端部よりも側方に位置している。このため，例えば側方に壁が位置する場所において，該壁に側方ガード部５ｄを摺接させながら刈り込み作業を行うことによりいわゆる際刈り（例えば壁際に沿って刈り込む作業形態）を効率よくきれいに行うことができる。また，刈り込み刃４の側方に側方ガード部５ｄが位置しているので，当該刈り込み機１の側方からの障害物に対する刈り込み刃４の干渉を防止することができ，これにより該刈り込み刃４の損傷を防止することができる。
【００１５】以上のように構成した第１実施形態の刈り込み機１によれば，ガード装置５の後側支持部５ｂを後側止め部３ａに保持し，かつ前側支持部５ｅを前側止め部６ａ（６ｂ，６ｃ）の何れかに保持して，当該ガード装置５を刈り込み機１に装着することができる。ガード装置５を装着した状態で，作業者はハンドル部３を把持してスイッチ３ｂをオン操作すると，刈り込み刃４の上下刃４ａ，４ｂが相互に反対方向に往復動する。上下刃４ａ，４ｂを往復動させながら，当該刈り込み機１を刈り込み方向に沿って移動させることにより上下刃４ａ，４ｂの刈り刃４ａａ〜４ａａ，４ｂｂ〜４ｂｂにより芝生が刈り込まれていく。当該刈り込み機１を移動させる際には，ガード装置５の刈り込み高さ規制部５ａ，５ａを地面Ｊに接地させておくことにより刈り込み刃４と地面Ｊとの間を一定の刈り込み高さＴに保持しておくことができ，これにより芝生を一定の刈り込み高さＴで効率よくきれいに刈り込むことができる。また，ガード装置５には側方ガード部５ｄ，５ｄが設けられているので，例えば一方の側方ガード部５ｄを側方の壁に当接させながら当該刈り込み機１を移動させることによりいわゆる際刈りを効率よくきれいに行うことができる。また，この側方ガード部５ｄ，５ｄによれば，刈り込み刃４が側方に位置する障害物（側方障害物）に干渉することを防止することができるので，刈り込み刃４の損傷を未然に回避することができる。」
　　
（２ｄ）上記記載事項（２ｂ）及び（２ｃ）を参照して特に図１，４をみると，「本体部２を側面視したときに，地面Ｊに接地するガード装置５の刈り込み高さ規制部５ａ，５ａの後方の一部が，上下方向，前後方向ともに地面Ｊとハウジング６の後部がＤ形に形成されて設けられているハンドル部３との間に位置するとともに，少なくとも，ガード装置５の後側支持部５ｂの中央部はハンドル部３の下面に設けた後側止め部３ａに支持されているから，該支持部は，上下方向，前後方向ともに，地面Ｊに接地するガード装置５の刈り込み高さ規制部５ａ，５ａとハンドル部３との間に位置する」ことが明らかである。
　　
（２ｅ）また、上記記載事項（２ａ）乃至（２ｃ）の記載から，刊行物１には，「ハウジング６の後部がＤ形に形成されたハンドル部３を備えた本体部２と，該本体部２の前部に設けられ上側の上刃４ａと下側の下刃４ｂからなる刈り込み刃４と，主として刈り込み刃４の周囲に配置されたガード装置５を有している芝生バリカン１において，ガード装置５は，１本の鋼線を折り曲げたフレーム形状を有しており，当該刈り込み機１の機長方向に沿った左右一対の刈り込み高さ規制部５ａ，５ａと，該両刈り込み高さ規制部５ａ，５ａの後端部間を連結する後側支持部５ｂと，両刈り込み高さ規制部５ａ，５ａの前端部から上方へ屈曲して設けた前方ガード部５ｃ，５ｃと，該前方ガード部５ｃ，５ｃの上端から後ろ側へ折り返して設けた側方ガード部５ｄ，５ｄと，該両側方ガード部５ｄ，５ｄを連結する前側支持部５ｅを備えていて，上記後側支持部５ｂの中央部を，ハンドル部３の下面に設けた後側止め部３ａに支持し，前側支持部５ｅの中央部を，ハウジング６の前面に設けた３箇所の前側止め部６ａ〜６ｃの何れかに支持し，刈り込み高さ規制部５ａ，５ａを地面Ｊに接地させておくことにより，刈り込み刃４と地面Ｊとの間を一定の刈り込み高さＴに保持しておくこと」が記載されていることも明らかである。
　
２−２．補正発明と刊行物１記載の発明との対比
　補正発明と刊行物１記載の発明とを対比すると，
　刊行物１記載の発明の「手持式芝刈機」が補正発明の「刈り込み機」に相当しており，以下同様に，
「ハウジング１」は「刈り込み機本体」に，
「ハウジング１からその前方に突出」する「上刃２ａ」と「下刃２ｂとからなる切断刃２」は，「刈り込み機本体に設けられている一対のブレード」に，
「ハウジング１の後部にはハンドル３が一体的に設けられており」は，「刈り込み機本体には，作業者が把持するための把持部が形成されており」に，
「切断刃２による刈り込みにより生じた切屑を受け止める捕集部」は，「一対のブレードによる刈り込み片を受け止めるレシーバ部」に，それぞれ相当する。
　そして，刊行物１記載の発明の「ハウジングに着脱可能に取り付けられるレシーバ５」は，刊行物記載事項２−１．（１）（１ｄ）に「取付板１４に形成された取付用ネジ１５の貫通穴を上下方向の長穴に形成し，レシーバ５の取付位置を上下に位置変更可能に形成すると，芝草等の刈り込み高さをより容易に調整可能である。」と記載されているように，刈り込み機本体に対して「上下に位置変更可能に」設けられて移動可能に設けられている部材であることから，補正発明の「刈り込み機本体に対して移動可能に設けられている移動部材」に相当する。
　また，刊行物１記載の発明における，「レシーバ５の左右」の「取付板１４がハウジング１の側面に取付用ネジ１５の箇所を支点にして，レシーバ５を回動可能に固定され，レシーバ５の取付角度を変更することにより，芝草等の刈り込み高さを調整可能とする」とともに，「取付板１４に形成された取付用ネジ１５の貫通穴を上下方向の長穴に形成して，レシーバ５の取付位置を上下に位置変更可能に形成することにより，芝草等の刈り込み高さを調整可能」とすることと，補正発明の「作業面に当接させることによって作業面に対する一対のブレードの距離を保持するためのガイド部が形成されており，刈り込み機本体に対する前記移動部材の相対位置を段階的に調節することによって，作業面に対する一対のブレードの距離を段階的に調節可能」とすることとは，前者はハウジング１に対するレシーバ５の取付状態を変更することによって，芝草等の刈り込み高さを調整可能，つまり，切断刃２の作業面との距離を調整可能とするのであるから，両者は「作業面に当接させることによって作業面に対する一対のブレードの距離を保持するためのガイド部が形成されており，刈り込み機本体に対する移動部材の相対位置を調節することによって，作業面に対する一対のブレードの距離を調節可能」である点で共通する。
　そして，この場合には，刊行物１記載の発明における，レシーバ５の底板６が作業面に当接し，切断刃２の作業面との距離を保持することになるので，刊行物１記載の発明の「レシーバ５の底板６」が補正発明の「作業面に当接するガイド部」に相当する。
　さらに，補正発明において，刈り込み機本体を側面視したときに，どの方向に関して「作業面に当接するガイド部の少なくとも一部が，前記作業面と前記把持部との間に位置」し，また「前記刈り込み機本体と前記移動部材が互いに当接する当接部が，前記作業面に当接するガイド部と前記把持部との間に位置」するのか不明であるが，刊行物１記載の発明においても，「ハウジング１を側面視したときに，レシーバ５の底板６は，上下方向において，作業を行う面とハンドル３との間に位置し，ハウジング１に対してレシーバ５を取り付ける取付板１４は，上下方向において，レシーバ５の底板６とハンドル３との間に位置して」いるから，この点は，少なくとも上下方向の位置関係においては，補正発明の上記事項と共通する。
　　
　したがって，両者は，以下の点で一致している。
「刈り込み機本体と，
　刈り込み機本体に設けられている一対のブレードと，
　刈り込み機本体に対して移動可能に設けられている移動部材を備え，
　前記刈り込み機本体には，作業者が把持するための把持部が形成されており，
　前記移動部材には，一対のブレードによる刈り込み片を受け止めるレシーバ部と，
　作業面に当接させることによって作業面に対する一対のブレードの距離を保持するためのガイド部が形成されており，
　前記刈り込み機本体に対する前記移動部材の相対位置を調節することによって，作業面に対する一対のブレードの距離を調節可能であり，
　前記刈り込み機本体を側面視したときに，上下方向においては，作業面に当接するガイド部の少なくとも一部が，前記作業面と前記把持部との間に位置するとともに，前記刈り込み機本体と前記移動部材が互いに当接する当接部が，前記作業面に当接するガイド部と前記把持部との間に位置する刈り込み機。」
　
　そして，以下の各点で相違している。
（相違点１）
　刈り込み機本体に対する移動部材の相対位置及び作業面に対する一対のブレードの距離を，
補正発明は，段階的に調節可能であるのに対して，
刊行物１記載の発明は，段階的に調節可能か否か不明である点。
（相違点２）
　刈り込み機本体を側面視したときに，
補正発明は，「作業面に当接するガイド部の一部が，前記作業面と前記把持部との間に位置するとともに，前記刈り込み機本体と前記移動部材が互いに当接する当接部が，前記作業面に当接するガイド部と前記把持部との間に位置する」のに対して，
刊行物１記載の発明は，上下方向ではそうなっているが，その他の方向ではそのようになっていない点。
　
２−３．判断 
（相違点１について）
　刊行物２には，上記記載事項２−１．（２）（２ｅ）に摘記したように，「ハウジング６の後部がＤ形に形成されたハンドル部３を備えた本体部２と，該本体部２の前部に設けられ上側の上刃４ａと下側の下刃４ｂからなる刈り込み刃４と，主として刈り込み刃４の周囲に配置されたガード装置５を有している芝生バリカン１において，ガード装置５は，１本の鋼線を折り曲げたフレーム形状を有しており，当該刈り込み機１の機長方向に沿った左右一対の刈り込み高さ規制部５ａ，５ａと，該両刈り込み高さ規制部５ａ，５ａの後端部間を連結する後側支持部５ｂと，両刈り込み高さ規制部５ａ，５ａの前端部から上方へ屈曲して設けた前方ガード部５ｃ，５ｃと，該前方ガード部５ｃ，５ｃの上端から後ろ側へ折り返して設けた側方ガード部５ｄ，５ｄと，該両側方ガード部５ｄ，５ｄを連結する前側支持部５ｅを備えていて，上記後側支持部５ｂの中央部を，ハンドル部３の下面に設けた後側止め部３ａに支持し，前側支持部５ｅの中央部を，ハウジング６の前面に設けた３箇所の前側止め部６ａ〜６ｃの何れかに支持し，刈り込み高さ規制部５ａ，５ａを地面Ｊに接地させておくことにより，刈り込み刃４と地面Ｊとの間を一定の刈り込み高さＴに保持しておくこと」との構成が記載されている。
　当該構成の「ハンドル部３」，「本体部２」，「上側の上刃４ａと下側の下刃４ｂからなる刈り込み刃４」，「ガード装置５」，「芝生バリカン１」は，それぞれ補正発明の「把持部」，「刈り込み機本体」，「一対のブレード」，「移動部材」，「刈り込み機」に相当し，さらに，当該構成の「前側支持部５ｅの中央部を，ハウジング６の前面に設けた３箇所の前側止め部６ａ〜６ｃの何れかに支持」すること，「刈り込み高さ規制部５ａ，５ａ」，「刈り込み刃４と地面Ｊとの間を一定の刈り込み高さＴに保持しておくこと」は，それぞれ補正発明の「刈り込み機本体に対する移動部材の相対位置を段階的に調節すること」，「移動部材」の「作業面に当接するガイド部」，「作業面に対する一対のブレードの距離を段階的に調節可能」であることに相当する。
　そこで、当該構成の「前側支持部５ｅの中央部を，ハウジング６の前面に設けた３箇所の前側止め部６ａ〜６ｃの何れかに支持し，刈り込み高さ規制部５ａ，５ａを地面Ｊに接地させておくことにより，刈り込み刃４と地面Ｊとの間を一定の刈り込み高さＴに保持しておくこと」は、補正発明の「刈り込み機本体に対する前記移動部材の相対位置を段階的に調節することによって，作業面に対する一対のブレードの距離を段階的に調節可能」であることに相当する。
　刊行物１及び２記載の発明は，何れも刈り込み高さを調整する共通の機能を有する発明であるので，刊行物２記載の発明に開示されている補正発明の「段階的に調節可能」に相当する上記の技術を刊行物１記載の発明に採用して，レシーバ５の取付角度及び上下方向の取付位置を変更する際に，これを段階的に調節可能として，補正発明の相違点１に係る発明特定事項とすることは，当業者が容易に想到し得たことである。
　　
（相違点２について）
　同じく，刊行物２には，２−１．（２）（２ｄ）に摘記したように「本体部２を側面視したときに，地面Ｊに接地するガード装置５の刈り込み高さ規制部５ａ，５ａの後方の一部が，上下方向，前後方向ともに地面Ｊとハウジング６の後部がＤ形に形成されて設けられているハンドル部３との間に位置するとともに，少なくとも，ガード装置５の後側支持部５ｂの中央部はハンドル部３の下面に設けた後側止め部３ａに支持されているから，該支持部は，上下方向，前後方向ともに，地面Ｊに接地するガード装置５の刈り込み高さ規制部５ａ，５ａとハンドル部３との間に位置する」構成が記載されている。
　当該構成の「本体部２」，「地面Ｊに接地するガード装置５の刈り込み高さ規制部５ａ，５ａの後方の一部」，「ハンドル部３」，「ガード装置５」は，それぞれ，補正発明の「刈り込み機本体」，「作業面に当接するガイド部の一部」，「把持部」，「移動部材」に相当し，さらに，当該構成の「ガード装置５の後側支持部５ｂの中央部」と「ハンドル部３の下面に設けた後側止め部３ａ」は「ガード装置５」と「本体部２」が互いに接する部分であり補正発明の「刈り込み機本体と移動部材が互いに当接する当接部」に相当することから，当該構成は補正発明の「作業面に当接するガイド部の一部が，前記作業面と前記把持部との間に位置するとともに，前記刈り込み機本体と前記移動部材が互いに当接する当接部が，前記作業面に当接するガイド部と前記把持部との間に位置する」構成に相当する。
　そして，刊行物１及び２記載の発明は，先に記したように何れも刈り込み高さを調整する共通の機能を有する発明であるので，刊行物２記載の当該構成を参照し，刊行物１記載の発明において，上下方向のみでなくその他の方向においても，レシーバ５の底板６の位置を作業する面とハンドル３との間に，ハウジング１とレシーバ５の取付板１４との取付位置をレシーバ５の底板６とハンドル３との間にして，補正発明の相違点２に係る発明特定事項とすることは，当業者が容易に想到し得たことである。
　　
　また，補正発明の作用効果は，刊行物１及び２記載の発明から当業者が予測しうる程度のことである。
　
　したがって，補正発明は，刊行物１及び２記載の発明に基づいて当業者が容易に発明をすることができたものであるから，特許法第２９条第２項の規定により特許出願の際独立して特許を受けることができないものである。
　
３．補正の却下の決定のむすび 
　以上より，本件補正は，平成１８年法律第５５号改正附則第３条第１項によりなお従前の例によるとされる同法による改正前の特許法第１７条の２第５項において準用する同法第１２６条第５項に規定する要件を満たしていないものであるから，同法第１５９条第１項において読み替えて準用する同法第５３条第１項の規定により却下すべきものである。
　よって，補正の却下の決定の結論のとおり決定する。
　　
　　
第３　本願発明 
１．本願発明 
　平成２４年７月９日付けの手続補正は上記のとおり却下され，平成２３年８月１１日付けの手続補正は平成２４年４月６日付けで却下されているので，本願の請求項１〜５に係る発明は，平成２２年１２月８日付け手続補正書で補正された特許請求の範囲の請求項１〜５に記載された事項により特定されるところ，そのうち請求項１にかかる発明（以下「本願発明」という。）は，次のとおりである。
「刈り込み機本体と，
　刈り込み機本体に設けられている一対のブレードと，
　刈り込み機本体に対して移動可能に設けられている移動部材を備え，
　前記刈り込み機本体には，作業者が把持するための把持部が形成されており，
　前記移動部材には，一対のブレードによる刈り込み片を受け止めるレシーバ部と，作業面に当接させることによって作業面に対する一対のブレードの距離を保持するためのガイド部が形成されており，
　前記刈り込み機本体に対する前記移動部材の相対位置を段階的に調節することによって，作業面に対する一対のブレードの距離を段階的に調節可能であり，
　作業面に当接するガイド部の一部は，前記刈り込み機本体を側面視したときに，前記作業面と前記把持部との間に位置することを特徴とする刈り込み機。」
　　
２．引用刊行物 
　原査定の拒絶の理由に引用された刊行物１及び２の記載事項は前記「第２　２．２−１」に記載した通りである。
　　
３．対比・判断 
　本願発明は，前記「第２」で検討した補正発明から，「（前記刈り込み機本体を側面視したときに，）前記刈り込み機本体と前記移動部材が互いに当接する当接部が，前記作業面に当接するガイド部と前記把持部との間に位置する」という特定事項を省いたものである。
　そうすると，本願発明を特定するために必要な事項を全て含み，さらに他の事項を付加したものに相当する補正発明が，前記「第２　２．２−３．」に記載したとおり，刊行物１及び２記載の発明に基づいて当業者が容易に発明をすることができたものであるから，本願発明も，同様の理由により，刊行物１及び２記載の発明に基づいて当業者が容易に発明をすることができたものである。
　　
４．むすび 
　したがって，本願発明については，特許法第２９条第２項の規定により特許を受けることができない。
　そうすると，このような特許を受けることができない発明を包含する本願は，本願の他の請求項に係る発明について検討するまでもなく，拒絶すべきものである。
　
　よって，結論のとおり審決する。
　
　なお，請求人は，平成２５年４月５日付けの回答書において，補正案を提示して，請求項１に係る発明に「壁面に当接させることによって前記刈り込み機本体を当該壁面に沿って移動させるための側方ガイド部」を形成すること，「前記レシーバ部の周縁には，前記刈り込み片を保持する二つのリブ状の突起部が形成されており，前記二つのリブ状の突起部は，前記刈り込み機本体の両側にそれぞれ位置するとともに，その間隔は前記一対のブレードよりも広く，その外側に形成された表面は刈り込み作業時に刈り込み機本体を移動させる方向に対して平行に伸びており，前記側方ガイド部として機能する」ことを付加する補正案を提示しているが，該事項は，刊行物１に（記載事項（１ｃ）及び各図参照。）記載されており，また，平行ではないが同様な機能を有する側方ガイド部を設けることは，刊行物２にも（記載事項（２ｃ）及び各図参照。）記載されており，補正案の発明によっても，特許を受けることはできない。